(57)【特許請求の範囲】
【請求項１】
セル内の混雑度を判定するように構成されている混雑度判定部と、
移動局からプリアンブルを受信するように構成されている第１受信部と、
前記移動局に対して、前記プリアンブルに対するレスポンスを送信するように構成されているレスポンス送信部と、
前記移動局から、前記レスポンスに含まれる第１制御信号に応じて送信された上り信号を受信するように構成されている第２受信部とを具備し、
前記第２受信部は、前記セル内の混雑度が高いと判定された場合に、前記プリアンブルが、初期接続を行うための初期接続用プリアンブルであるか否かに応じて、前記上り信号を破棄するか否かについて決定するように構成されていることを特徴とする無線基地局。
【請求項２】
前記混雑度推定部は、所定の時間区間において、前記第２受信部によって受信された初期接続を行うための初期接続用プリアンブルに対応する前記上り信号の数が所定の閾値以上である場合に、前記セル内の混雑度が高いと判定するように構成されていることを特徴とする請求項１に記載の無線基地局。
【請求項３】
前記第２受信部は、前記プリアンブルが、前記初期接続用プリアンブルである場合に、前記上り信号を破棄するように構成されていることを特徴とする請求項１に記載の無線基地局。
【請求項４】
前記第２受信部は、前記上り信号に第２制御信号が含まれない場合に、前記プリアンブルが前記初期接続用プリアンブルであると判断し、前記上り信号を破棄するように構成されていることを特徴とする請求項３に記載の無線基地局。
【請求項５】
前記プリアンブルは、ランダムアクセスのためのプリアンブルであることを特徴とする請求項１に記載の無線基地局。
【請求項６】
前記第１制御信号は、上りリンクの送信を許可するＵＬ  Ｇｒａｎｔであることを特徴とする請求項１に記載の無線基地局。
【請求項７】
前記第２制御信号は、前記移動局の識別情報を示す制御情報であることを特徴とする請求項４に記載の無線基地局。
【請求項８】
前記上り信号は、ランダムアクセス手順のメッセージ３であることを特徴とする請求項１に記載の無線基地局。
【請求項９】
前記第２受信部は、前記プリアンブルが、前記初期接続用プリアンブルでない場合に、前記上り信号を破棄するように構成されていることを特徴とする請求項１に記載の無線基地局。
【請求項１０】
無線基地局が、セル内の混雑度を判定する工程Ａと、
前記無線基地局が、移動局からプリアンブルを受信する工程Ｂと、
前記無線基地局が、前記移動局に対して、前記プリアンブルに対するレスポンスを送信する工程Ｃと、
前記移動局が、前記レスポンスに含まれる第１制御信号に応じて、上り信号を送信する工程Ｄと、
前記無線基地局が、前記セル内の混雑度が高いと判定された場合に、前記移動局から受信した前記上り信号に第２制御信号が含まれているか否かに応じて、前記上り信号を破棄するか否かについて決定する工程Ｅとを有することを特徴とする移動通信方法。
【発明の詳細な説明】
【技術分野】
【０００１】
本発明は、無線基地局及び移動通信方法に関する。
【背景技術】
【０００２】
ワイドバンド符号分割多重接続（ＷＣＤＭＡ）方式や高速ダウンリンクパケットアクセス（ＨＳＤＰＡ）方式や高速アップリンクパケットアクセス（ＨＳＵＰＡ）方式等の後継となる通信方式、すなわち、ロングタームエボリューション（ＬＴＥ：Ｌｏｎｇ  Ｔｅｒｍ  Ｅｖｏｌｕｔｉｏｎ）が、ＷＣＤＭＡの標準化団体３ＧＰＰで検討され、仕様化作業が進められている。【０００３】
ＬＴＥでの無線アクセス方式として、下りリンクについては、直交周波数分割多重接続(ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ)方式が規定され、上りリンクについては、シングルキャリア周波数分割多重接続（ＳＣ-ＦＤＭＡ：Ｓｉｎｇｌｅ‐Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式が規定されている。【０００４】
「ＯＦＤＭＡ方式」は、周波数帯域を複数の狭い周波数帯域（サブキャリア）に分割し、各周波数帯域上にデータを載せて伝送を行う方式であり、サブキャリアを周波数上に、一部重なりあいながらも互いに干渉することなく密に並べることで、高速伝送を実現し、周波数の利用効率を上げることができる。【０００５】
「ＳＣ-ＦＤＭＡ方式」は、周波数帯域を分割し、複数の端末間で異なる周波数帯域を用いて伝送することで、端末間の干渉を低減することができる伝送方式である。「ＳＣ-ＦＤＭＡ方式」では、送信電力の変動が小さくなる特徴を持つことから、端末の低消費電力化及び広いカバレッジを実現できる。【０００６】
ＬＴＥ方式の移動通信システムでは、下りリンク及び上りリンク両方において、移動局ＵＥに対して、１つ以上のリソースブロック（Ｒｅｓｏｕｒｃｅ  Ｂｌｏｃｋ）が割り当てられて通信が行われる。【０００７】
無線基地局ｅＮＢは、サブフレーム（ＬＴＥでは、１ｍｓ）毎に、複数の移動局ＵＥの中で、どの移動局ＵＥに対して、リソースブロックを割り当てるかを決定する（このプロセスは「スケジューリング」と呼ばれる）。【０００８】
下りリンクにおいては、無線基地局ｅＮＢは、スケジューリングで選択された移動局ＵＥに対して割り当てられた１以上のリソースブロックによって、かかる移動局ＵＥ宛ての共有チャネルを送信する。【０００９】
上りリンクにおいては、選択された移動局ＵＥが、無線基地局ｅＮＢに対して、かかる移動局ＵＥに対して割り当てられた１以上のリソースブロックによって、共有チャネルを送信する。【００１０】
なお、かかる共有チャネルは、上りリンクにおいては、物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）であり、下りリンクにおいては、物理下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）である。
【００１１】
また、ＬＴＥにおいては、初期接続やハンドオーバやデータ通信再開等のためにランダムアクセス（Ｒａｎｄｏｍ  Ａｃｃｅｓｓ）手順が用いられる。かかるランダムアクセス手順のためのチャネルは、物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）と呼ばれる。【００１２】
また、かかる物理ランダムアクセスチャネルの中で、移動局ＵＥは、ランダムアクセスプリアンブルを送信する。かかる物理ランダムアクセスチャネル及びランダムアクセスプリアンブルの詳細は、例えば、３ＧＰＰ規格において規定されている。【００１３】
図１に示すように、ランダムアクセス手順は、４つの手順により構成される。また、各手順において、移動局ＵＥと無線基地局ｅＮＢとの間でやり取りされるメッセージは、１つ目の手順から順に、「メッセージ１（ランダムアクセスプリアンブル：Ｒａｎｄｏｍ  Ａｃｃｅｓｓ  Ｐｒｅａｍｂｌｅ）」、「メッセージ２（ランダムアクセスレスポンス：Ｒａｎｄｏｍ  Ａｃｃｅｓｓ  Ｒｅｓｐｏｎｓｅ）」、「メッセージ３（スケジュールドトランスミッション）」、「メッセージ４（コンテンションレゾルーション（Ｃｏｎｔｅｎｔｉｏｎ  Ｒｅｓｏｌｕｔｉｏｎ）用メッセージ）」と呼ばれる。【００１４】
１つ目の手順において、移動局ＵＥは、無線基地局ｅＮＢに対して、ランダムアクセスプリアンブル（ランダムアクセスのためのプリアンブル）を送信する。ランダムアクセスプリアンブルにより、ランダムアクセスプリアンブルのＩＤが伝送される。【００１５】
２つ目の手順において、無線基地局ｅＮＢは、移動局ＵＥに対して、ランダムアクセスレスポンスを送信する。【００１６】
ランダムアクセスレスポンスにより、ランダムアクセスプリアンブルのＩＤや、タイミング調節情報（Ｔｉｍｉｎｇ  Ａｄｖａｎｃｅ）や、ＵＬ  Ｇｒａｎｔ（ＵＬ  Ｓｃｈｅｄｕｌｉｎｇ  Ｇｒａｎｔ）や、仮のＣ-ＲＮＴＩ（ｃｅｌｌ  ｓｐｅｃｉｆｉｃ-ｒａｄｉｏ  ｎｅｔｗｏｒｋ  ｔｅｍｐｏｒａｒｙ  ｉｄｅｎｔｉｆｉｅｒ）等が伝送される。【００１７】
ＵＬ  Ｇｒａｎｔとは、上りリンクの送信、すなわち、メッセージ３の送信を指示する制御信号である。ＵＬ  Ｇｒａｎｔにより伝送される情報は、例えば、メッセージ３のための上りリンクのリソースブロックの割り当て情報やデータサイズや変調方式や上りリンクの送信電力情報等である。【００１８】
ＲＮＴＩとは、ユーザを識別するためのテンポラリな識別子であり、Ｃ-ＲＮＴＩは、セル固有のユーザ識別子である。【００１９】
３つ目の手順において、移動局ＵＥは、無線基地局ｅＮＢに対して、メッセージ３を送信する。メッセージ３（スケジュールドトランスミッション）により、当該移動局ＵＥの識別情報、例えば、上述した仮のＣ-ＲＮＴＩやＮＡＳメッセージ等が伝送される。【００２０】
４つ目の手順において、無線基地局ｅＮＢは、移動局ＵＥに対して、メッセージ４（コンテンションレゾルーション用メッセージ）を送信する。
【発明の概要】
【発明が解決しようとする課題】
【００２１】
上述したように、ＬＴＥにおいては、初期接続やハンドオーバやデータ通信再開等のためにランダムアクセスが用いられる。【００２２】
ところで、一般に、移動通信システムでは、セル内において、無線基地局ｅＮＢと通信を行っている移動局ＵＥの数が極めて多い場合、或いは、無線基地局ｅＮＢとの接続を確立しようとする移動局ＵＥの数が極めて多い場合が存在する。【００２３】
すなわち、移動通信システムでは、セル内の混雑度が極めて高い場合や、或いは、セル内の混雑度が急速に高くなる場合が存在する。例えば、花火や年末年始等のイベント時に、上記のような状況が発生する。【００２４】
ここで、無線基地局ｅＮＢとの接続を確立しようとする移動局ＵＥは、より具体的には、上述したランダムアクセス手順を行い、かかる無線基地局ｅＮＢとの接続を確立しようとする。【００２５】
上述したように、無線基地局ｅＮＢとの接続を確立しようとする移動局ＵＥの数が極めて多い場合、短時間に多数のランダムアクセス手順が行われるため、無線基地局ｅＮＢの処理負荷が高くなる、或いは、無線基地局ｅＮＢが多数のランダムアクセス手順を処理しきれないという課題が存在する。【００２６】
そこで、本発明は、上述の課題に鑑みてなされたものであり、無線基地局ｅＮＢとの接続を確立しようとする移動局ＵＥの数が極めて多い場合にも、無線基地局ｅＮＢの処理負荷を適切なレベルに抑えることができる無線基地局及び移動通信方法を提供することを目的とする。
【課題を解決するための手段】
【００２７】
本発明の第１の特徴は、無線基地局であって、セル内の混雑度を判定するように構成されている混雑度判定部と、移動局からプリアンブルを受信するように構成されている第１受信部と、前記移動局に対して、前記プリアンブルに対するレスポンスを送信するように構成されているレスポンス送信部と、前記移動局から、前記レスポンスに含まれる第１制御信号に応じて送信された上り信号を受信するように構成されている第２受信部とを具備し、前記第２受信部は、前記セル内の混雑度が高いと判定された場合に、前記プリアンブルが、初期接続を行うための初期接続用プリアンブルであるか否かに応じて、前記上り信号を破棄するか否かについて決定するように構成されていることを要旨とする。【００２８】
本発明の第１の特徴において、前記混雑度推定部は、所定の時間区間において、前記第２受信部によって受信された初期接続を行うための初期接続用プリアンブルに対応する前記上り信号の数が所定の閾値以上である場合に、前記セル内の混雑度が高いと判定するように構成されていてもよい。
【００２９】
本発明の第１の特徴において、前記第２受信部は、前記プリアンブルが、前記初期接続用プリアンブルである場合に、前記上り信号を破棄するように構成されていてもよい。【００３０】
本発明の第１の特徴において、前記第２受信部は、前記上り信号に第２制御信号が含まれない場合に、前記プリアンブルが前記初期接続用プリアンブルであると判断し、前記上り信号を破棄するように構成されていてもよい。【００３１】
本発明の第１の特徴において、前記プリアンブルは、ランダムアクセスのためのプリアンブルであってもよい。【００３２】
本発明の第１の特徴において、前記第１制御信号は、上りリンクの送信を許可するＵＬ  Ｇｒａｎｔであってもよい。【００３３】
本発明の第１の特徴において、前記第２制御信号は、前記移動局の識別情報を示す制御情報であってもよい。【００３４】
本発明の第１の特徴において、前記上り信号は、ランダムアクセス手順のメッセージ３であってもよい。【００３５】
本発明の第１の特徴において、前記第２受信部は、前記プリアンブルが、前記初期接続用プリアンブルでない場合に、前記上り信号を破棄するように構成されていてもよい。【００３６】
本発明の第２の特徴は、移動通信方法であって、無線基地局が、セル内の混雑度を判定する工程Ａと、前記無線基地局が、移動局からプリアンブルを受信する工程Ｂと、前記無線基地局が、前記移動局に対して、前記プリアンブルに対するレスポンスを送信する工程Ｃと、前記移動局が、前記レスポンスに含まれる第１制御信号に応じて、上り信号を送信する工程Ｄと、前記無線基地局が、前記セル内の混雑度が高いと判定された場合に、前記移動局から受信した前記上り信号に第２制御信号が含まれているか否かに応じて、前記上り信号を破棄するか否かについて決定する工程Ｅとを有することを要旨とする。
【発明の効果】
【００３７】
以上説明したように、本発明によれば、無線基地局ｅＮＢとの接続を確立しようとする移動局ＵＥの数が極めて多い場合にも、無線基地局ｅＮＢの処理負荷を適切なレベルに抑えることができる無線基地局及び移動通信方法を提供することができる。
【図面の簡単な説明】
【００３８】
【図１】図１は、一般的な移動通信システムにおけるランダムアクセス手順を説明するためのシーケンス図である。
【図２】図２は、本発明の第１の実施形態に係る移動通信システムの全体構成図である。
【図３】図３は、本発明の第１の実施形態に係る無線基地局の機能ブロック図である。
【図４】図４は、本発明の第１の実施形態に係る無線基地局を説明するための図である。
【図５】図５は、本発明の第１の実施形態に係る無線基地局を説明するための図である。
【図６】図６は、本実施形態に係る移動通信システムで用いられる無線基地局の動作について説明するためのフローチャートである。
【図７】図７は、本実施形態に係る移動通信システムで用いられる無線基地局の動作について説明するためのフローチャートである。
【発明を実施するための形態】
【００３９】
（本発明の第１の実施形態に係る移動通信システムの構成）
図２及び図３を参照して、本発明の第１の実施形態に係る移動通信システムの構成について説明する。なお、本実施形態では、ＬＴＥ方式の移動通信システムを例に挙げて説明するが、本発明は、他方式の移動通信システムにも適用可能である。
【００４０】
かかるＬＴＥ方式の移動通信システムでは、無線アクセス方式として、下りリンクについては「ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式」が用いられ、上りリンクについては「ＳＣ-ＦＤＭＡ（Ｓｉｎｇｌｅ-Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式」が用いられることが検討されている。
【００４１】
本実施形態に係る移動通信システムでは、初期接続やハンドオーバやデータ通信再開等において、ランダムアクセス手順が用いられる。かかるデータ通信再開は、「Ｄａｔａ  Ｒｅｓｕｍｉｎｇ（データ再開）」と呼ばれてもよい。
【００４２】
ランダムアクセス手順において、図２に示すように、移動局ＵＥが、上りリンクにおいて、ランダムアクセスプリアンブル及びメッセージ３等を送信し、無線基地局ｅＮＢが、下りリンクにおいて、ランダムアクセスレスポンス及びコンテンションレゾルーション用メッセージ（メッセージ４）等を送信するように構成されている。
【００４３】
図３に示すように、本実施形態に係る無線基地局ｅＮＢは、プリアンブル受信部１１と、レスポンス送信部１２と、メッセージ３受信部１３と、メッセージ４送信部１４と、呼処理部１５とを具備している。また、メッセージ３受信部１３には、メッセージ３破棄部１３Ａが具備されている。
【００４４】
プリアンブル受信部（第１受信部）１１は、上述したランダムアクセス手順の１つ目の手順において、移動局ＵＥから、プリアンブル（例えば、ランダムアクセスプリアンブル）を受信するように構成されている。
【００４５】
プリアンブル受信部１１は、ランダムアクセスプリアンブルとして、共通ランダムアクセスプリアンブル及び個別ランダムアクセスプリアンブルのいずれかを受信するように構成されている。
【００４６】
レスポンス送信部１２は、上述したランダムアクセス手順の２つ目の手順において、移動局ＵＥに対して、プリアンブル受信部１１によって受信されたランダムプリアンブルに対するレスポンスを送信するように構成されている。
【００４７】
メッセージ３受信部（第２受信部）１３は、上述したランダムアクセス手順の３つ目の手順において、移動局ＵＥから、上述のレスポンスに含まれる第１制御信号に応じて送信された上り信号（具体的には、ランダムアクセス手順のメッセージ３）を受信するように構成されている。
【００４８】
例えば、第１制御信号としては、上りリンクの送信を許可するＵＬ  Ｇｒａｎｔ等が想定される。
【００４９】
メッセージ３受信部１３内のメッセージ３破棄部１３Ａは、かかるランダムアクセスプリアンブルが、初期接続（Ｉｎｉｔｉａｌ  Ａｃｃｅｓｓ）を行うための初期接続用プリアンブルであるか否かに応じて、上述の上り信号を破棄するか否かについて決定するように構成されている。
【００５０】
ここで、メッセージ３破棄部１３Ａは、当該セル内の混雑度が大きい場合に、上述の上り信号を破棄するか否かについて決定するように構成されていてもよい。
【００５１】
また、かかるセル内の混雑度とは、コアネットワークから通知された規制（Ｃｅｌｌ  Ｂａｒｒｉｎｇ）のための情報や混雑度に関する情報であってもよい。
【００５２】
或いは、かかるセル内の混雑度とは、例えば、セル内の通信中のユーザ数、すなわち、移動局ＵＥの数であってもよい。この場合、移動局ＵＥの数が多ければ多いほど、混雑度は大きいことになる。
【００５３】
ここで、通信中のユーザ数とは、ＲＲＣ  Ｃｏｎｎｅｃｔｅｄ状態である移動局ＵＥの数であってもよいし、通信すべきデータを送信バッファに有する移動局ＵＥの数であってもよいし、DRX状態でない移動局の数、すなわち、Ｎｏｎ-ＤＲＸ状態にある移動局の数であってもよい。また、移動局の数の代わりに、移動局の数の割合、例えば、予め決められている最大同時接続数に対する移動局の数の割合であってもよい。
【００５４】
或いは、かかるセル内の混雑度とは、かかるランダムアクセスプリアンブルの数であってもよい。すなわち、所定の時間区間にプリアンブル受信部１１において受信されたランダムアクセスプリアンブルの数であってもよい。この場合、ランダムアクセスプリアンブルの数が多ければ多いほど、混雑度は大きいことになる。
【００５５】
上述のランダムアクセスプリアンブルの数は、共通ランダムアクセスプリアンブルの数であってもよいし、個別ランダムアクセスプリアンブルの数であってもよいし、共通ランダムアクセスプリアンブルの数と個別ランダムアクセスプリアンブルの数の合計であってもよい。
【００５６】
或いは、かかるセル内の混雑度とは、前記上り信号（具体的には、ランダムアクセス手順のメッセージ３）の数であってもよい。すなわち、所定の時間区間にメッセージ３受信部１３において受信された前記上り信号の数であってもよい。この場合、前記上り信号の数が多ければ多いほど、混雑度は大きいことになる。
【００５７】
上述の上り信号の数は、初期接続を行うための初期接続用プリアンブルに対応する前記上り信号の数であってもよいし、初期接続用プリアンブル以外のプリアンブルに対応する前記上り信号の数であってもよい。
【００５８】
或いは、かかる上り信号の数は、初期接続用プリアンブルに対応する前記上り信号の数と初期接続用プリアンブル以外のプリアンブルに対応する前記上り信号の数の合計であってもよい。
【００５９】
或いは、かかる上り信号の数は、初期接続を行うための初期接続用プリアンブルに対応する前記上り信号の数であってもよいし、初期接続用プリアンブル以外のプリアンブルに対応する前記上り信号の数であってもよい。
【００６０】
或いは、かかる上り信号の数は、第２制御信号が含まれない上り信号の数であってもよいし、第２制御信号が含まれる上り信号の数であってもよいし、第２制御信号が含まれない上り信号の数と第２制御信号が含まれる上り信号の数の合計であってもよい。ここで、上述の第２制御信号とは、移動局ＵＥの識別情報を示す制御情報等が想定される。
【００６１】
例えば、メッセージ３破棄部１３Ａは、かかるランダムアクセスプリアンブルが、初期接続用プリアンブルである場合に、上述の上り信号を破棄するように構成されていてもよい。
【００６２】
すなわち、メッセージ３破棄部１３Ａは、データ通信再開（Ｄａｔａ  Ｒｅｓｕｍｉｎｇ）やハンドオーバのためのランダムアクセス手順におけるメッセージ３を破棄しないように構成されている。
【００６３】
かかるハンドオーバには、当該セル以外のセルからのハンドオーバに加えて、当該セルから当該セルへのハンドオーバである「Ｉｎｔｒａ-ｃｅｌｌ  Ｈａｎｄｏｖｅｒ（イントラセルハンドオーバ）」が含まれる。かかる「Ｉｎｔｒａ-ｃｅｌｌ  Ｈａｎｄｏｖｅｒ」は、例えば、移動局ＵＥと無線基地局ｅＮＢとの間の通信の設定を変更する「Ｒｅｃｏｎｆｉｇｕｒａｔｉｏｎ」のために行われてもよい。
【００６４】
一方、メッセージ３破棄部１３Ａは、かかるランダムアクセスプリアンブルが、初期接続用プリアンブルでない場合に、上述の上り信号を破棄するように構成されていてもよい。
【００６５】
ここで、メッセージ３破棄部１３Ａは、上述の上り信号に第２制御信号が含まれない場合に、上述のランダムアクセスプリアンブルが初期接続用プリアンブルであると判断するように構成されていてもよい。
【００６６】
なお、かかる第２制御信号としては、移動局ＵＥの識別情報を示す制御情報等が想定される。
【００６７】
すなわち、データ通信再開やハンドオーバのためのランダムアクセス手順におけるメッセージ３には、Ｃ-ＲＮＴＩ  ＭＡＣ  ｃｏｎｔｒｏｌ  ｅｌｅｍｅｎｔが含まれるため、メッセージ３破棄部１３Ａは、Ｃ-ＲＮＴＩ  ＭＡＣ  ｃｏｎｔｒｏｌ  ｅｌｅｍｅｎｔが含まれないメッセージ３が初期接続用プリアンブルであると判断することができる。
【００６８】
また、個別ランダムアクセスプリアンブルは、初期接続用プリアンブルではない。
【００６９】
かかる上り信号（具体的には、ランダムアクセス手順のメッセージ３）の数に基づいて、上述した破棄処理を行う具体例について、以下に示す。
【００７０】
メッセージ３破棄部１３Ａは、より具体的には、所定の時間区間内に受信した初期接続用プリアンブルに対応する前記上り信号の数が、所定の閾値を超えた場合に、前記所定の時間区間内の残りの時間内に受信した初期接続用プリアンブルに対応する前記上り信号を破棄するという処理を行ってもよい。
【００７１】
より具体的には、図４に示すように、メッセージ３破棄部１３Ａは、所定の時間区間（図４では、５００ｍｓ）内に受信した初期接続用プリアンブルに対応する前記上り信号の数をカウントし、前記初期接続用のプリアンブルに対応する前記上り信号の数（図４では、区間Ａ内の初期接続用プリアンブルに対応する前記上り信号の数）が、所定の閾値（図４では、１００個）を超えた場合に、前記所定の時間区間（図４では、区間Ｂ）内の残りの時間内に受信した初期接続用プリアンブルに対応する前記上り信号を破棄するという処理を行ってもよい。
【００７２】
なお、かかる場合、初期接続用プリアンブル以外のプリアンブルに対応する前記上り信号は、区間Ａ、Ｂに関係なく破棄しないという処理が行われる。上述した処理は、図４に示すように、各所定の時間区間において行われる。
【００７３】
或いは、メッセージ３破棄部１３Ａは、より具体的には、所定の時間区間内に受信した初期接続用プリアンブルに対応する前記上り信号の数が、所定の閾値を超えた場合に、その次の所定の時間区間内の初期接続用プリアンブルに対応する前記上り信号を破棄するという処理を行ってもよい。
【００７４】
より具体的には、図５に示すように、メッセージ３破棄部１３Ａは、区間ａにおいて、初期接続用プリアンブルに対応する前記上り信号の数が所定の閾値（１００個）を超えたため、区間ｂにおいて、初期接続用プリアンブルに対応する前記上り信号を破棄するという処理を行ってもよい。
【００７５】
また、メッセージ３破棄部１３Ａは、区間ｂにおいて、初期接続用プリアンブルに対応する前記上り信号の数が所定の閾値（１００個）を超えなかったため、区間ｃにおいて、初期接続用プリアンブルに対応する前記上り信号を破棄しないという処理を行ってもよい。
【００７６】
さらに、メッセージ３破棄部１３Ａは、区間ｃにおいて、初期接続用プリアンブルに対応する前記上り信号の数が所定の閾値（１００個）を超えなかったため、区間ｄにおいて、初期接続用プリアンブルに対応する前記上り信号を破棄しないという処理を行ってもよい。
【００７７】
なお、上述した区間ｂにおける「初期接続用プリアンブルに対応する前記上り信号を破棄する」という処理は、受信した全ての初期接続用プリアンブルに対応する前記上り信号を破棄するという処理であってもよいし、受信した初期接続用プリアンブルに対応する前記上り信号の３０％を破棄するという処理であってもよい。かかる３０％という値は一例であり、上記以外の値であってもよい。
【００７８】
或いは、上述した区間ｂにおける「初期接続用プリアンブルに対応する前記上り信号を破棄する」という処理は、受信した初期接続用プリアンブルに対応する前記上り信号の内、１００個を超える初期接続用プリアンブルに対応する前記上り信号を破棄するという処理であってもよい。なお、１００個という値は一例であり、上記以外の値であってもよい。
【００７９】
メッセージ４送信部１４は、上述したランダムアクセス手順の４つ目の手順において、移動局ＵＥに対して、メッセージ４を送信するように構成されている。なお、上述した処理により、メッセージ３破棄部１３Ａにおいて破棄されたメッセージ３に対応するメッセージ４は送信されない。
【００８０】
呼処理部１５は、ランダムアクセス手順によって確立された無線基地局ｅＮＢと移動局ＵＥとの間の接続に関する処理、例えば、呼設定の処理や呼の状態管理等を行うように構成されている。
【００８１】
（本発明の第１の実施形態に係る移動通信システムの動作）
図６を参照して、本実施形態に係る移動通信システムの動作、具体的には、本実施形態に係る移動通信システムで用いられる無線基地局ｅＮＢのランダムアクセス手順における動作について説明する。
【００８２】
図６に示すように、ステップＳ１０１において、無線基地局ｅＮＢは、移動局ＵＥから、ランダムアクセスプリアンブルを受信する。
【００８３】
ステップＳ１０２において、無線基地局ｅＮＢは、移動局ＵＥに対して、受信されたランダムプリアンブルに対するレスポンスを送信する。
【００８４】
ステップＳ１０３において、無線基地局ｅＮＢは、移動局ＵＥから、上述のレスポンスに含まれる第１制御信号に応じて送信されたメッセージ３を受信する。
【００８５】
ステップＳ１０４において、無線基地局ｅＮＢは、受信したメッセージ３内に、Ｃ-ＲＮＴＩ  ＭＡＣ  ｃｏｎｔｒｏｌ  ｅｌｅｍｅｎｔ（第２制御信号）が含まれているか否かについて判定する。
【００８６】
Ｃ-ＲＮＴＩ  ＭＡＣ  ｃｏｎｔｒｏｌ  ｅｌｅｍｅｎｔが含まれていると判定された場合、ステップＳ１０５において、無線基地局ｅＮＢは、かかるメッセージ３を破棄せず、移動局ＵＥに対して、メッセージ４を送信する。
【００８７】
一方、Ｃ-ＲＮＴＩ  ＭＡＣ  ｃｏｎｔｒｏｌ  ｅｌｅｍｅｎｔが含まれていないと判定された場合、ステップＳ１０６において、無線基地局ｅＮＢは、かかるメッセージ３を破棄する。この場合、移動局ＵＥに対して、メッセージ４は送信されない。
【００８８】
次に、図７を参照して、本実施形態に係る移動通信システムの動作、具体的には、本実施形態に係る移動通信システムで用いられる無線基地局ｅＮＢのランダムアクセス手順における動作について説明する。
【００８９】
図７に示すように、ステップＳ２０１において、無線基地局ｅＮＢは、移動局ＵＥから、ランダムアクセスプリアンブルを受信する。
【００９０】
ステップＳ２０２において、無線基地局ｅＮＢは、移動局ＵＥに対して、受信されたランダムプリアンブルに対するレスポンスを送信する。
【００９１】
ステップＳ２０３において、無線基地局ｅＮＢは、移動局ＵＥから、上述のレスポンスに含まれる第１制御信号に応じて送信されたメッセージ３を受信する。
【００９２】
ステップＳ２０４において、無線基地局ｅＮＢは、所定区間内に受信した「Ｃ-ＲＮＴＩ  ＭＡＣ  ｃｏｎｔｒｏｌ  ｅｌｅｍｅｎｔ」を含まないメッセージ３の数が所定の閾値以上であるか否かについて判定する。
【００９３】
ステップＳ２０４において、無線基地局ｅＮＢは、所定区間内に受信した「Ｃ-ＲＮＴＩ  ＭＡＣ  ｃｏｎｔｒｏｌ  ｅｌｅｍｅｎｔ」を含まないメッセージ３の数が所定の閾値以上である場合（Ｓ２０４の「ＹＥＳ」）、ステップＳ２０５において、無線基地局ｅＮＢは、受信したメッセージ３内に、「Ｃ-ＲＮＴＩ  ＭＡＣ  ｃｏｎｔｒｏｌ  ｅｌｅｍｅｎｔ（第２制御信号）」が含まれているか否かについて判定する。
【００９４】
ステップＳ２０５において、「Ｃ-ＲＮＴＩ  ＭＡＣ  ｃｏｎｔｒｏｌ  ｅｌｅｍｅｎｔ」が含まれていると判定された場合（Ｓ２０５の「ＹＥＳ」）、ステップＳ２０６において、無線基地局ｅＮＢは、かかるメッセージ３を破棄せず、移動局ＵＥに対して、メッセージ４を送信する。
【００９５】
ステップＳ２０５において、「Ｃ-ＲＮＴＩ  ＭＡＣ  ｃｏｎｔｒｏｌ  ｅｌｅｍｅｎｔ」が含まれていないと判定された場合（Ｓ２０５の「ＮＯ」）、ステップＳ２０７において、無線基地局ｅＮＢは、かかるメッセージ３を破棄する。この場合、移動局ＵＥに対して、メッセージ４は送信されない。
【００９６】
ステップＳ２０４において、無線基地局ｅＮＢは、所定区間内に受信した「Ｃ-ＲＮＴＩ  ＭＡＣ  ｃｏｎｔｒｏｌ  ｅｌｅｍｅｎｔ」を含まないメッセージ３の数が所定の閾値以上でない場合（Ｓ２０４の「ＮＯ」）、ステップＳ２０６において、無線基地局ｅＮＢは、かかるメッセージ３を破棄せず、移動局ＵＥに対して、メッセージ４を送信する。
【００９７】
（本発明の第１の実施形態に係る移動通信システムの作用・効果）
本発明の第１の実施形態に係る移動通信システムによれば、無線基地局ｅＮＢが、ランダムアクセス手順の用途（初期接続やハンドオーバやデータ通信再開等）に応じて、かかるランダムアクセス手順を受け付けるか否かについて判断することができるため、無線基地局の処理負荷を適切なレベルに維持することができ、より適切な高品質な移動通信システムを提供することができる。
【００９８】
具体的には、本発明の第１の実施形態に係る移動通信システムによれば、新規に通信を開始する移動局ＵＥよりも、既に通信を行っている移動局ＵＥを優先することができる。
【００９９】
また、本発明の第１の実施形態に係る移動通信システムによれば、既に通信を行っている移動局ＵＥよりも、新規に通信を開始する移動局ＵＥを優先することができる。
【０１００】
なお、上述の無線基地局ｅＮＢ及び移動局ＵＥの動作は、ハードウェアによって実施されてもよいし、プロセッサによって実行されるソフトウェアモジュールによって実施されてもよいし、両者の組み合わせによって実施されてもよい。
【０１０１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１０２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢ及び移動局ＵＥ内に設けられていてもよい。また、かかる記憶媒体及びプロセッサは、ディスクリートコンポーネントとして無線基地局ｅＮＢ及び移動局ＵＥ内に設けられていてもよい。
【０１０３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図１】
0005380459.tif 000002
【図２】
0005380459.tif 000003
【図３】
0005380459.tif 000004
【図４】
0005380459.tif 000005
【図５】
0005380459.tif 000006
【図６】
0005380459.tif 000007
【図７】
0005380459.tif 000008